(57)【特許請求の範囲】
【請求項１】
開口を有する本体部と、前記開口を介して前記本体部に挿入される係止部材であって、
前記本体部に挿入された状態において前記本体部の外側に位置し、かつ間隙を介して前記開口に対向する突出部を有する係止部材とを有する出力測定装置用アダプタと、
前記出力測定装置用アダプタを包装する包装体と、
を備え、
前記本体部は、前記開口および前記開口に連通する内部空間を有する胴体部と、光の強度を測定する出力測定装置と接続する接続部とを有し、
前記係止部材は、前記開口を介して前記胴体部に挿入されることによって前記本体部に結合され、
前記包装体は、第１の方向に沿って前記本体部の外周を覆うフィルム本体を有し、
前記フィルム本体は、前記第１の方向に沿って形成された第１の開裂案内線と、前記第１の開裂案内線によって区画される第１の領域および第２の領域とを有し、
前記第１の領域は、前記突出部と前記開口との間に配置される領域を含む出力測定装置用アダプタセット。
【請求項２】
前記胴体部の内部に挿入された光ファイバーを更に備え、
前記光ファイバーは、前記胴体部の前記内部空間において、前記係止部材の先端によって保持されている請求項１に記載の出力測定装置用アダプタセット。
【請求項３】
前記突出部は、第１の辺を有し、
前記突出部の主面に対して垂直な方向から見たときに、前記第１の辺は、前記第１の開裂案内線に平行である請求項１または２に記載の出力測定装置用アダプタセット。
【請求項４】
前記突出部の主面に対して垂直な方向から見たときに、前記第１の開裂案内線は、前記突出部と重ならない位置に形成されている請求項１から３のいずれかに記載の出力測定装置用アダプタセット。
【請求項５】
前記第２の領域は、前記本体部と前記突出部との間には形成されない請求項１から４のいずれかに記載の出力測定装置用アダプタセット。
【請求項６】
前記フィルム本体は、熱収縮性フィルムから構成されている請求項１から５のいずれかに記載の出力測定装置用アダプタセット。
【請求項７】
前記フィルム本体は、前記第１の領域において前記フィルム本体の外縁から前記第１の開裂案内線に向かって延びるスリットを有する請求項１から６のいずれかに記載の出力測定装置用アダプタセット。
【請求項８】
前記フィルム本体は、前記第１の領域において前記第１の方向と垂直な方向に沿って前記フィルム本体の外縁から突出するタブを有する請求項１から６のいずれかに記載の出力測定装置用アダプタセット。
【請求項９】
前記胴体部は、柱状形状を有し、
前記開口は、前記胴体部の中央よりも前記接続部側に設けられている請求項１から８のいずれかに記載の出力測定装置用アダプタセット。
【請求項１０】
前記フィルム本体は、前記胴体部の軸方向に沿って、前記第１の開裂案内線から前記接続部とは反対側の端部まで延びる第２の開裂案内線を有する請求項９に記載の出力測定装置用アダプタセット。
【請求項１１】
前記出力測定装置用アダプタは、光線力学的治療法に用いられる請求項１から１０のいずれかに記載の出力測定装置用アダプタセット。
【発明の詳細な説明】
【技術分野】
【０００１】
本願は、被包装体を包む包装体に関する。本願は、包装体を備える出力測定装置用アダプタセットにも関する。
【背景技術】
【０００２】
医療現場では様々な医療用装置が使用される。例えば、レーザーなどの光を患部へ照射するレーザー治療装置が知られている。レーザー治療装置は、例えば、光線力学的治療法（ｐｈｏｔｏｄｙｎａｍｉｃ  ｔｈｅｒａｐｙ：以下、「ＰＤＴ」と略する。）に用いられる。ＰＤＴとは、癌細胞に多く蓄積される光感受性物質へのレーザー光照射による光化学反応を利用した局所的治療法である。ＰＤＴを行うレーザー治療装置は、レーザー光を出射するレーザー治療装置本体と、レーザー光を患部へと伝達して照射する光プローブとを備える。この光プローブは、光ファイバーを備える。レーザー治療装置本体から出射された光は、この光ファイバーの中を伝播する（例えば、特許文献１参照）。
【０００３】
レーザー等の光を出射する装置を使用する際は、実際に治療等を行なう前に、キャリブレーションを実施することがある（例えば、特許文献２参照）。具体的には、光プローブから出射される光の強度を測定することによって、その出力が適正な値となっているか確認する。キャリブレーションを実施する際には、光ファイバーは、光の強度を測定する出力測定装置に光ファイバーからの光が入射するように、一時的に保持される。
【先行技術文献】
【特許文献】
【０００４】
【特許文献１】特開２０００−１８９５２７号公報
【特許文献２】特開平０５−１１５４９１号公報
【発明の概要】
【発明が解決しようとする課題】
【０００５】
キャリブレーションの終了後、光ファイバーは、出力測定装置から分離され、施術に用いられる。従って、施術を迅速に行う観点から、出力測定装置に対する光ファイバーの保持を容易に解除できると有利である。また、医療現場では、本体に対して着脱可能に挿入された部材を有する装置、器具等を使用する場合がある。施術を迅速に行う観点から、そのような部材の取り外しを簡便に行えると有益である。
【課題を解決するための手段】
【０００６】
本開示の例示的な実施形態として以下が提供される。
【０００７】
開口を有する本体部と、前記開口を介して前記本体部に挿入される挿入部材であって、前記本体部に挿入された状態において前記本体部の外側に位置し、かつ間隙を介して前記開口に対向する突出部を有する挿入部材とを有する被包装体を包装する包装体であって、前記包装体は、第１の方向に沿って前記本体部の外周を覆うフィルム本体を備え、前記フィルム本体は、前記第１の方向に沿って形成された第１の開裂案内線と、前記第１の開裂案内線によって区画される第１の領域および第２の領域とを有し、前記第１の領域は、前記突出部と前記開口との間に配置される領域を含む包装体。
【発明の効果】
【０００８】
本開示によれば、装置、器具等の本体に挿入された部材を簡便に取り外すことができる。
【図面の簡単な説明】
【０００９】
【図１】本開示の出力測定装置用アダプタセットの一例を示す斜視図である。
【図２】出力測定装置用アダプタ１の内部を示す断面斜視図である。
【図３】（ａ）は、係止部材５及び光ファイバー２を拡大して示す斜視図であり、（ｂ）及び（ｃ）は、出力測定装置用アダプタ１を光ファイバー２の軸方向に垂直な断面で切断したときの断面図である。
【図４】本開示の実施の形態１における包装体３が備えるフィルム本体３Ｂの一例を示す斜視図である。
【図５】（ａ）は出力測定装置用アダプタ１を突出部１３の主面に対して垂直な方向から見たときの上面図であり、（ｂ）は、図５（ａ）に対応する側断面図である。
【図６】本開示の包装体３の使用例を示す図である。
【図７】（ａ）及び（ｂ）は、本開示の実施の形態１における包装体３が備えるフィルム本体の他の一例を示す斜視図である。
【図８】出力測定装置用アダプタセットに用いられる係止部材の変形例を示す図である。
【図９】係止部材５ａを本体部４から引き出すときの動作を説明するための図である。
【発明を実施するための形態】
【００１０】
上述したように、キャリブレーションを実施する際には、光の強度を測定する出力測定装置に、光ファイバーからの出射光が入射される。その際、光ファイバーを保持するためのアダプタを出力測定装置に接続することがある。このとき、光ファイバーをアダプタ内に挿入することにより、光ファイバーが保持される。以下では、出力測定装置に対して光ファイバーを一時的に保持するために用いられるアダプタを出力測定装置用アダプタと呼ぶ。このような出力測定装置用アダプタを用いることにより、レーザー治療装置の使用者が光ファイバーを手で保持することなく、光ファイバーを出力測定装置に対して一時的に保持することができる。出力測定装置用アダプタを使用すると、出力測定装置用アダプタ本体内における光ファイバーの位置を一定に保ち得るので、光の出力をより正確に測定し得る。
【００１１】
上述したように、キャリブレーション終了後は、施術のために出力測定装置用アダプタから光ファイバーが引き抜かれる。従って、光ファイバーを出力測定装置用アダプタ内に固定できる一方で、その固定状態を容易に解除できると有益である。医療現場では、一般的に、施術を実施する者（医師等）は、ゴム手袋を着用している。ゴム手袋の着用の有無にかかわらず、簡易な操作で出力測定装置用アダプタに対する光ファイバーの固定を解除できると有益である。
【００１２】
まず、本開示の一態様の概要を説明する。
【００１３】
本開示の一態様である包装体は、開口を有する本体部と、開口を介して本体部に挿入される挿入部材であって、本体部に挿入された状態において本体部の外側に位置し、かつ間隙を介して開口に対向する突出部を有する挿入部材とを有する被包装体を包装する包装体である。この包装体は、第１の方向に沿って本体部の外周を覆うフィルム本体を備える。フィルム本体は、第１の方向に沿って形成された第１の開裂案内線と、第１の開裂案内線によって区画される第１の領域および第２の領域とを有する。第１の領域は、突出部と開口との間に配置される領域を含む。
【００１４】
ある態様において、突出部は、第１の辺を有する。突出部の主面に対して垂直な方向から見たときに、第１の辺は、第１の開裂案内線に平行であってもよい。
【００１５】
ある態様において、突出部の主面に対して垂直な方向から見たときに、第１の開裂案内線は、突出部と重ならない位置に形成されている。
【００１６】
ある態様において、第２の領域は、本体部と突出部との間には形成されない。
【００１７】
ある態様において、フィルム本体は、熱収縮性フィルムから構成されている。
【００１８】
ある態様において、フィルム本体は、第１の領域においてフィルム本体の外縁から第１の開裂案内線に向かって延びるスリットを有する。
【００１９】
ある態様において、フィルム本体は、第１の領域において第１の方向と垂直な方向に沿ってフィルム本体の外縁から突出するタブを有する。
【００２０】
本開示の他の一態様である出力測定装置用アダプタセットは、出力測定装置用アダプタと、出力測定装置用アダプタを包装する包装体とを備える。出力測定装置用アダプタは、開口を有する本体部と、開口を介して本体部に挿入される係止部材であって、本体部に挿入された状態において本体部の外側に位置し、かつ間隙を介して開口に対向する突出部を有する係止部材とを有する。本体部は、開口および開口に連通する内部空間を有する胴体部と、光の強度を測定する出力測定装置と接続する接続部とを有する。係止部材は、開口を介して胴体部に挿入されることによって本体部に結合される。包装体は、第１の方向に沿って本体部の外周を覆うフィルム本体を有する。フィルム本体は、第１の方向に沿って形成された第１の開裂案内線と、第１の開裂案内線によって区画される第１の領域および第２の領域とを有する。第１の領域は、突出部と開口との間に配置される領域を含む。
【００２１】
ある態様による出力測定装置用アダプタセットは、胴体部の内部に挿入された光ファイバーを更に備える。光ファイバーは、胴体部の内部空間において、係止部材の先端によって保持されていてもよい。
【００２２】
ある態様において、突出部は、第１の辺を有する。突出部の主面に対して垂直な方向から見たときに、第１の辺は、第１の開裂案内線に平行であってもよい。
【００２３】
ある態様において、突出部の主面に対して垂直な方向から見たときに、第１の開裂案内線は、突出部と重ならない位置に形成されている。
【００２４】
ある態様において、第２の領域は、本体部と突出部との間には形成されない。
【００２５】
ある態様において、フィルム本体は、熱収縮性フィルムから構成されている。
【００２６】
ある態様において、フィルム本体は、第１の領域においてフィルム本体の外縁から第１の開裂案内線に向かって延びるスリットを有する。
【００２７】
ある態様において、フィルム本体は、第１の領域において第１の方向と垂直な方向に沿ってフィルム本体の外縁から突出するタブを有する。
【００２８】
ある態様において、胴体部は、柱状形状を有する。開口は、胴体部の中央よりも接続部側に設けられていてもよい。
【００２９】
ある態様において、フィルム本体は、胴体部の軸方向に沿って、第１の開裂案内線から接続部とは反対側の端部まで延びる第２の開裂案内線を有する。
【００３０】
上述の出力測定装置用アダプタは、光線力学的治療法に用いられてもよい。
【００３１】
以下に、本開示の実施の形態を図面を参照して詳細に説明する。以下では、本体に対して着脱可能に挿入された部材を有する器具として、出力測定装置用アダプタを例示する。
【００３２】
（実施の形態１）
図１は、本開示の出力測定装置用アダプタセットの一例を示す。図１に示す出力測定装置用アダプタセット１００は、出力測定装置用アダプタ１と、出力測定装置用アダプタ１を包装する包装体３とを備える。図示する例では、出力測定装置用アダプタ１の内部に光ファイバー２が挿入されている。後に詳しく説明するように、出力測定装置用アダプタ１は、光ファイバー２を一時的に固定できるような構成を有する。包装体３の詳細は後述する。
【００３３】
出力測定装置用アダプタ１は、例えば光線力学的治療法に用いられる。出力測定装置用アダプタ１は、レーザーの出力を測定する出力測定装置（図示せず）等に取り付けて使用する。レーザーの出力を測定する際は、光ファイバー２の一方の端部をレーザー装置（ここではレーザー治療装置本体）に接続する。また、光ファイバー２の他方の端部が挿入された状態の出力測定装置用アダプタセット１００を出力測定装置に接続する。光ファイバー２を介して、レーザー装置から出射されたレーザーを出力測定装置に入射させる。出力測定装置は、光ファイバー２から放出される光（ここではレーザー）の強度を測定する。
【００３４】
本実施の形態では、予め光ファイバー２が出力測定装置用アダプタ１内に挿入された状態の出力測定装置用アダプタセット１００を出力測定装置に接続する。これにより、キャリブレーションの際に出力測定装置の使用者が光ファイバー２を手で保持する必要がなく、利便性が向上する。
【００３５】
まず、光ファイバー２の出力測定装置用アダプタ１内部における固定状態を説明する。出力測定装置用アダプタ１は、本体部４と、本体部４に対して着脱自在に構成された係止部材５と、本体部４を覆う包装体３とを備えている。本体部４は、胴体部６と、胴体部６の一方の端部Ｐ側に設けられた、出力測定装置と接続する接続部７とを備えている。胴体部６及び接続部７は、内部に光ファイバー２を挿入できる内部空間を有する。胴体部６のもう一方の端部Ｑ側には貫通孔が設けられており、光ファイバー２はこの貫通孔から胴体部６の内部空間に挿入される。接続部７は、光強度を測定する出力測定装置内へ挿入される。胴体部６は例えば樹脂から形成されており、略四角形の断面を持つ柱状形状であり得る。接続部７のうち、胴体部６の端部Ｐ側と接続する一部分は、胴体部６と一体成形され得る。この一体成形された部分に、例えば光透過性の材料から形成された先端部８が接続され得る。先端部８を構成する材料の例は、アクリル樹脂、ポリカーボネート等である。先端部８は、断面が円形の錐体形状を有し得る。光ファイバー２は、この先端部８の先端付近にまで挿入されている。
【００３６】
出力測定装置用アダプタ１は、胴体部６の端部Ｑ側の貫通孔と接続する光ファイバー導入部９を更に備え得る。光ファイバー導入部９は、例えばゴムなどの弾性材料から構成され、中空の円筒形状を有し得る。光ファイバー導入部９は、光ファイバー２の急峻な折れ曲がりを防止する。
【００３７】
係止部材５は、本体部４の例えば胴体部６に対して着脱可能に構成されている。例えば、胴体部６は、その少なくとも１つの面に、外部から内部に貫通する開口１６を有する。この開口１６は、胴体部６の内部空間に連通している。係止部材５は、この開口１６を介して胴体部６に挿入される。これにより、本体部４に対して係止部材５が結合される。後述するように、係止部材５は、胴体部６に挿入された状態において本体部４の外側に位置する突出部１３を有する。ここでは、突出部１３は、平板形状を有する。すなわち、図１に例示する構成において、突出部１３の表面は平坦である。ただし、突出部１３の表面の形状は、図示する形状に限定されず、例えば凹凸を有する形状であってもよいし、丸みを有する形状であってもよい。突出部１３は、胴体部６に設けられた開口１６と間隙を介して対向する。
【００３８】
図２は、出力測定装置用アダプタ１の内部を示す。図２は、包装体３を取り外し、胴体部６と、胴体部６と一体成形されている接続部７の一部分とを示す断面図である。図２は、本体部４の内部に挿入された光ファイバー２及び係止部材５を併せて示している。なお、図２は、図１におけるＡ−Ａ’軸方向に平行かつ本体部４の中央を通る平面での断面斜視図である。図示する例において、胴体部６及び接続部７の内部には、胴体部６の長手方向に沿って中央に溝が形成されており、その溝に光ファイバー２が配置されている。典型的には、光ファイバー２は、軸方向に垂直な断面における形状が円である。光ファイバー２を配置するための溝の断面は、円の一部が欠損したＣ形の形状であり得る。
【００３９】
図示するように、光ファイバー２は、係止部材５と嵌合する嵌合用部材１０を有し得る。嵌合用部材１０は、例えばプラスチックから構成されている。嵌合用部材１０のプラスチックの表面は、光ファイバー２の被覆を傷つけないような加工が施されていると有益である。嵌合用部材１０は、光ファイバー２の周面の少なくとも一部を覆っている。嵌合用部材１０は、係止部材５と嵌合する。この嵌合構造を以下に更に詳しく説明する。
【００４０】
図３（ａ）は、係止部材５及び光ファイバー２を拡大して示す。図３（ａ）に例示する構成において、嵌合用部材１０には、凹部１１が形成されている。この凹部１１は、例えば、光ファイバー２の軸方向に垂直な断面において、光ファイバー２の直径方向に対向する２箇所に形成されている。ここでは、係止部材５が挿入される方向及び光ファイバー２の軸方向の両方に垂直な方向において嵌合用部材１０の両側に、光ファイバー２の軸方向に一定の幅を持つ溝が、嵌合用部材１０の上方から下方にわたって形成されている。これらの２つの溝のそれぞれは、光ファイバー２側に底面を有している。
【００４１】
係止部材５は、互いに対向する少なくとも２本の脚部１２を有し得る。この脚部１２は、本体部４の内部に挿入される部分である。図示する例では、脚部１２は互いに対向し、それぞれが直方体形状を有する。図示するように、脚部１２は、突出部１３と接続している。突出部１３は、係止部材５を本体部４の内部へ挿入したときに本体部４の外部に配置される。ここでは、突出部１３は、図１において係止部材５のうち本体部４の外側に突出する板状の部分である。典型的には、胴体部６には突出部１３よりも面積が小さい開口１６が設けられており、この開口１６に係止部材５が挿入される。開口１６は、例えば胴体部６の中央よりも接続部７側に設けられる。このとき、脚部１２は開口１６より本体部４の内部へ挿入される。一方、突出部１３は開口１６を通過せず本体部４の外部に突出する。
【００４２】
典型的には、光ファイバー２の軸方向における凹部１１の幅は、脚部１２の幅よりもわずかに大きい。また、互いに対向する脚部１２の間隔は、凹部１１の底面間の距離よりも大きい。更に、対向する脚部１２の間隔は、２つの凹部１１の深さと凹部１１の底面間の距離とを足し合わせた長さよりも小さい。このような構成とすることで、脚部１２は、嵌合用部材１０の上方から胴体部６内にスライドされることにより、凹部１１を挟み込むことができる。
【００４３】
このように、係止部材５の脚部１２は、例えば、胴体部６の外表面に設けられた開口１６を介して胴体部６に挿入される。係止部材５（典型的にはその先端）によって、光ファイバー２が胴体部６の内部空間において保持される。すなわち、係止部材５は、胴体部６に挿入された状態において光ファイバー２を保持する。
【００４４】
図３（ｂ）及び図３（ｃ）は、出力測定装置用アダプタ１を光ファイバー２の軸方向に垂直な面で切断したときの断面を示す。図３（ｂ）及び図３（ｃ）は、図１におけるＢ−Ｂ’断面図である。図３（ｂ）及び図３（ｃ）においては、包装体３の図示が省略されている。
【００４５】
図３（ｂ）は、本体部４へ係止部材５を挿入しはじめている状態を示す。図３（ｂ）に示す状態においては、まだ嵌合用部材１０の凹部１１と係止部材５の脚部１２とは嵌合していない。図３（ｃ）は、嵌合用部材１０の凹部１１と係止部材５の脚部１２とが嵌合した状態を示す。これらの図からわかるように、胴体部６に設けられた開口１６を介して、脚部１２が凹部１１を挟むように係止部材５を本体部４の内部へ挿入することによって、嵌合用部材１０と係止部材５とが嵌合され得る。これにより、光ファイバー２が係止部材５によって固定され得る。係止部材５を本体部４から外部へ引き抜けば、係止部材５と嵌合用部材１０の固定状態が解除され、光ファイバー２を本体部４から引き出すことができる。
【００４６】
図３（ａ）に例示する構成において、係止部材５は、突出部１３と２つの脚部との間に溝部１９を有する。図３（ｃ）に示すように、係止部材５において溝部１９を介して対向する２つの面のうち、脚部１２に近い側の面Ｓｓは、典型的には、係止部材５が胴体部６に挿入された状態において胴体部６の開口１６が設けられている面と整合する。
【００４７】
図３（ｃ）に示すように、突出部１３は、係止部材５が胴体部６に挿入された状態において、間隙ｄを介して胴体部６の開口１６と対向する。なお、図３（ｃ）中に示す間隙ｄは、あくまでも説明のために誇張して描かれており、実際の間隙の大きさを示すわけではない。なお、図示する例では、開口１６と対向する突出部１３の下面（面Ｓｓと対向している面）は、典型的には、開口１６の輪郭によって規定される平面と平行である。しかしながら、突出部１３の配置はこの例に限定されない。突出部１３の下面は、開口１６の輪郭によって規定される平面と平行でなくともよい。なお、突出部１３の下面は、典型的には、平坦である。
【００４８】
再び図１を参照する。図１に示すように、出力測定装置用アダプタセット１００は、出力測定装置用アダプタ１を包装する包装体３を有している。包装体３は、出力測定装置用アダプタ１の本体部４の外表面を覆うフィルム本体を備える。図示する例では、フィルム本体は、胴体部６の柱状形状の周方向に沿って胴体部６の外周を覆っている。フィルム本体を構成する材料の例は、ポリオレフィン（polyolefin）、ポリスチレン（polystyrene）、ポリ塩化ビニル（polyvinyl chloride）、ポリプロピレン（polypropylene）等である。フィルム本体は、熱により収縮する特性を持つ熱収縮性フィルムであり得る。フィルム本体が熱収縮性フィルムから構成される場合、包装体３は、本体部４（ここでは胴体部６）を覆うようにして装着された後、加熱される。加熱により、熱収縮を利用してフィルム本体を本体部４に対してより密着させ得る。
【００４９】
図４は、本開示の実施の形態１における包装体３が備えるフィルム本体３Ｂの一例を示す。図４は、本体部４に装着されていない状態のフィルム本体３Ｂを拡大して示す。図示する例では、フィルム本体３Ｂは、チューブ形状を有している。フィルム本体３Ｂの形状は、本体部４の外周を覆うことができる形状であればよく、チューブ形状に限定されない。チューブ形状の軸方向の長さも特定の長さに限定されない。フィルム本体３Ｂがチューブ形状を有する場合における、チューブ形状の断面形状も特定の形状に限定されず、例えば、円、多角形等であり得る。
【００５０】
図示する例では、フィルム本体３Ｂは、チューブ形状の周方向に沿って形成された第１の開裂案内線（tear line）１４を有している。本明細書における「開裂案内線」は、フィルム本体における切り取りの方向（フィルム本体の裂ける方向といってもよい。）を規制する機能を有する構造を広く含む。例えば、第１の開裂案内線１４は、小孔の配列から形成されたミシン目（perforation）であり得る。第１の開裂案内線１４の具体的な態様はミシン目に限定されず、切り取りの方向に沿って、他の部分よりも薄い部分（溝）を設けてもよい。例えば、第１の開裂案内線１４は、フィルム本体３Ｂの厚さ方向に沿って表面から途中までに入れられた切れ込みであってもよい。このような切れ込みは、例えば、所定の形状の刃を有する型、レーザー、熱を用いて形成することができる。フィルム本体３Ｂにおける切り取りの方向に沿って、フィルム本体３Ｂよりも高い強度を有するリボンを配置してもよい。
【００５１】
また、図４に示すように、フィルム本体３Ｂの外縁から第１の開裂案内線１４に向かって延びるスリットＳＬを形成しておいてもよい。この場合、スリットＳＬから第１の開裂案内線１４に達する切れ込み等を更に形成しておいてもよい。このような切れ込みを設けておくことにより、フィルム本体３Ｂの外縁から第１の開裂案内線１４に向けてフィルム本体３Ｂの切り取りが容易になる。スリットＳＬに代えてノッチを設けてもよい。
【００５２】
ある態様では、フィルム本体３Ｂは、熱収縮性フィルムから構成される。熱収縮性フィルムは、樹脂フィルムをある軸方向に沿って延伸することにより得られる。このような熱収縮性フィルムは、上記の軸方向に沿っての引き裂きが容易である。従って、第１の開裂案内線１４の方向に沿って切り取りが進みやすいように延伸時の軸方向を設定してもよい。
【００５３】
また、図４に例示する構成では、フィルム本体３Ｂは、第１の開裂案内線１４からフィルム本体３Ｂの外縁まで延びる第２の開裂案内線１５を更に有している。前述したように、フィルム本体３Ｂは、胴体部６を覆う。この第２の開裂案内線１５は、包装体３が本体部４に装着された状態において胴体部６の長手方向に沿って延びるように形成されている。第２の開裂案内線１５は、典型的には、フィルム本体３Ｂの端部のうち、包装体３が本体部４に装着された状態において接続部７とは反対側の端部にまで延びている（図１参照）。第２の開裂案内線１５は、第１の開裂案内線１４と同様に、ミシン目、切れ込み等であり得る。なお、第２の開裂案内線１５は、第１の開裂案内線１４と異なる構成を有していてもよく、例えば、第１の開裂案内線１４がミシン目であり、第２の開裂案内線１５が切れ込みであってもよい。なお、第２の開裂案内線１５がミシン目である場合、フィルム本体３Ｂの外縁近傍にある小孔が、他の部分の小孔とは異なる形状を有していてもよい。例えば、フィルム本体３Ｂの外縁近傍の小孔が、第２の開裂案内線１５の延びる方向に長軸を有する長円形状であってもよい。このとき、フィルム本体３Ｂの外縁近傍の小孔は、その一部のみがフィルム本体３Ｂと重なるような配置を有していてもよい。言い換えれば、フィルム本体３Ｂの外縁と小孔の輪郭が連続することにより、フィルム本体３Ｂの端部にスリット状のノッチが形成されていてもよい。このように、フィルム本体３Ｂの端部の形状をノッチ状とすることにより、第２の開裂案内線１５の方向に沿った切断が容易になる。更に、２以上の方向に沿って延伸を行うことにより、フィルム本体３Ｂに第２の軸をもたせてもよい。すなわち、フィルム本体３Ｂにおいて、第２の開裂案内線１５の方向に切り取りが進みやすいように、延伸時の第２の軸方向を設定してもよい。
【００５４】
図５（ａ）は、出力測定装置用アダプタ１を突出部１３の主面（突出部１３の上面又は下面であり、ここでは図５（ａ）に示す上面Ｓｕ）に対して垂直な方向から見たときの上面図である。図５（ｂ）は、図５（ａ）に対応する側断面図である。図５（ａ）は、図１において出力測定装置用アダプタ１の係止部材５が接続されている面の一部を上から見たときの図である。図５（ａ）及び図５（ｂ）に例示する構成において、突出部１３は、胴体部６の上面から見たときに、長方形状を有する。図５（ａ）に示すように、ここでは、第１の開裂案内線１４は、この長方形状の辺Ｓｄと平行に形成されている。包装体３のフィルム本体３Ｂは、胴体部６の外表面を覆っており、フィルム本体３Ｂの少なくとも一部は、突出部１３と、胴体部６の開口１６との間に配置されている。すなわち、図５（ａ）及び図５（ｂ）に示す例では、間隙ｄ（図３（ｃ）参照）の間にもフィルム本体３Ｂの一部が配置されている。
【００５５】
図示するように、フィルム本体３Ｂは、第１の開裂案内線１４によって区画される第１の領域Ｘと第２の領域Ｙとを有する。図５（ａ）に示すように、第１の領域Ｘは、突出部１３と開口１６との間に配置される領域を含む。
【００５６】
ここでは、第２の領域Ｙは突出部１３とは重ならない。すなわち、第２の領域Ｙは、本体部４と突出部１３との間には形成されない。図５（ａ）及び図５（ｂ）に例示する構成では、突出部１３の主面Ｓｕに対して垂直な方向から見たときに、第１の開裂案内線１４は、突出部１３と重ならない位置に形成されている。図示する例において、第１の開裂案内線１４は、突出部１３の辺Ｓｄからわずかに外側に形成されている。ここでは、第１の開裂案内線１４は、辺Ｓｄよりも約１ｍｍ程度外側に形成されている。
【００５７】
包装体３が第１の開裂案内線１４を有することにより、第１の開裂案内線１４に沿って包装体３を切り取ることができる。これにより、フィルム本体３Ｂのうち、第２の領域Ｙに対応する部分を胴体部６上に残した状態で、第１の領域Ｘに対応する部分を胴体部６から分離することができる。このとき、第１の領域Ｘが、突出部１３と開口１６との間に配置される領域を含んでいるので、第１の領域Ｘに対応する部分を持ち上げることにより、第１の領域Ｘに対応する部分とともに係止部材５を引き上げることができる。従って、係止部材５を本体部４から簡単に引き抜くことができる。
【００５８】
図６は、本開示の包装体３の使用例を示す。図６は、係止部材５を本体部４から引き出すときの動作を説明するための図である。例えばキャリブレーションの終了後、第１の開裂案内線１４に沿って包装体３を分断することにより、第１の領域Ｘと第２の領域Ｙとを分離する。フィルム本体３Ｂが第１の開裂案内線１４を有しているので、ハサミ等の道具を使用せずとも、所定の方向に沿って包装体３を分断することができる。なお、図４に示すように、フィルム本体３Ｂの外縁から第１の開裂案内線１４に向かって延びるスリットＳＬを第１の領域Ｘに設けておくと、包装体３の分断が容易である。フィルム本体３ＢにこのようなスリットＳＬを設けておくことにより、出力測定装置用アダプタセット１００の使用者は、包装体３の分断に際して、フィルム本体３ＢのスリットＳＬの近傍の部分（図４中に示すタブＴ）を指先でつまむことができる。
【００５９】
前述したように、第１の領域Ｘは、突出部１３と開口１６との間に配置される領域を含んでいる。そのため、第１の開裂案内線１４に沿って包装体３を切り取ると、第１の領域Ｘの一部は、溝部１９内に残る。従って、第１の領域Ｘであった部分（典型的にはリボン状）を持ち上げることによって係止部材５を持ち上げることができる。これにより、胴体部６から係止部材５を容易に分離できる。従って、光ファイバー２の保持を容易に解除して、本体部４から光ファイバー２を引き出すことができる。このように、本開示によれば、キャリブレーションの終了後、出力測定装置に対する光ファイバー２の保持を容易に解除できる。
【００６０】
図７（ａ）及び図７（ｂ）は、本開示の実施の形態１における包装体３が備えるフィルム本体の他の一例を示す。図７（ｂ）は、図７（ａ）に示すフィルム本体３Ｂａを上下反転させた状態を示している。
【００６１】
図７（ａ）及び図７（ｂ）に示すフィルム本体３Ｂａは、図４を参照して説明したスリットＳＬに代えて、チューブ形状の軸方向に沿ってチューブ形状の端部から突出するタブＴａを有している。図示する例では、タブＴａの左右に、チューブ形状の軸方向に沿って延びる開裂案内線１７ａ及び１７ｂが設けられている。ここでは、開裂案内線１７ａ及び１７ｂは、フィルム本体３Ｂａの外縁から、第１の開裂案内線１４を越えて延びている。
【００６２】
図７（ａ）及び図７（ｂ）に示すフィルム本体３Ｂａを用いる場合、例えばキャリブレーションの終了後、タブＴａをつまみながら、タブＴａを開裂案内線１７ａ及び１７ｂの延びる方向に沿って引っ張ることができる。これにより、開裂案内線１７ａ及び１７ｂに沿ってフィルム本体３Ｂａを切ることができる。このとき、タブＴａを切り取ってもよい。開裂案内線１７ａ及び１７ｂに沿ってフィルム本体３Ｂａを切ることにより、図４に示す２つのタブＴを形成した場合と同様の効果が得られる。すなわち、開裂案内線１７ａを挟んでタブＴａと連続していた部分、及び開裂案内線１７ｂを挟んでタブＴａと連続していた部分を指先でつまむことができる。これらの部分を指先でつまんで第１の開裂案内線１４に沿って引っ張ることにより、第１の開裂案内線１４に沿って包装体３を容易に第１の領域Ｘと第２の領域Ｙとに分割することができる。
【００６３】
なお、フィルム本体３Ｂａは、図７（ｂ）に示すように、チューブ形状の軸方向においてタブＴａとは反対側に、切り欠きＣｆを有していてもよい。切り欠きＣｆの輪郭は、タブＴａの輪郭に整合する形状であり得る。フィルム本体３Ｂａは、例えば、ある軸方向に沿って延びる筒状を有するフィルムを一定の長さで切断することによって作製される。このような製造方法を採用する場合、切断部の形状を調整することにより、チューブ形状の端部にタブＴａを有する同一形状の複数のフィルム本体３Ｂａを容易に作製することができる。
【００６４】
フィルム本体３Ｂａを有する包装体３も、図６を参照して説明した使用例と同様に使用できる。すなわち、第１の開裂案内線１４に沿って包装体３を切り取り、第１の領域Ｘであった部分（典型的にはリボン状）を持ち上げることによって係止部材５を持ち上げることができる。従って、光ファイバー２の保持を容易に解除することができる。
【００６５】
例えば医療現場では、出力測定装置用アダプタ１の使用者は、衛生管理のためゴム手袋を装着している場合が多い。上記のように、出力測定装置用アダプタ１が包装体３を備えることにより、ゴム手袋を装着していたとしても、包装体３を利用して係止部材５を胴体部６から容易に引き抜くことができる。また、係止部材５のうち、本体部４から突出している部分（ここでは突出部１３）が小さい場合であっても、突出部１３を直接指先でつまむ場合と比較して、係止部材５を胴体部６から簡単に引き抜くことができる。従って、本開示によれば、例えば医療の現場等、素早く正確に作業することが求められる場面において、小さな部品を手作業で扱う場合であっても迅速な作業が可能になる。
【００６６】
更に、図４を参照して説明したように、包装体３は、胴体部６の長手方向に沿って接続部７とは反対側の端部から第１の開裂案内線１４まで延びる第２の開裂案内線１５を有していてもよい。このようにすると、第１の領域Ｘの分離後、第２の開裂案内線１５に沿って包装体３を切り取ることにより、フィルム本体３Ｂのうちの第２の領域Ｙに対応する部分を本体部４から簡単に取り外すことができる。すなわち、包装体３の交換が容易になる。なお、図７（ａ）及び（ｂ）に示す例では、フィルム本体３Ｂａは、第１の開裂案内線１４からフィルム本体３Ｂａの外縁まで延び、かつ第２の開裂案内線１５と連続する開裂案内線１５ａを更に有している。この開裂案内線１５ａは、第２の開裂案内線１５と同じ方向に沿って延びるように形成されている。このような開裂案内線１５ａを設けておくことにより、第２の開裂案内線１５に沿ってのフィルム本体３Ｂａの切り取りをより容易とできる。
【００６７】
図８は、出力測定装置用アダプタセットに用いられる係止部材の変形例を示す。図８に示す係止部材５ａは、全体としてＬ字状であり、溝部１９（図６参照）を有しない。すなわち、図８に示す係止部材５ａは、互いに対向する２つの脚部１２ａと、脚部１２ａに対してほぼ垂直に接続された突出部１３とを有する。
【００６８】
図６に示す係止部材５のように、溝部１９を有する係止部材５を使用する場合、胴体部６の開口１６に係止部材５を挿入してから、例えば柱状形状を有する胴体部６の長手方向に沿ってフィルム本体３Ｂをスライドさせることにより、本体部４に包装体３を装着する。その後、必要に応じてフィルム本体３Ｂを加熱することにより、フィルム本体３Ｂを胴体部６に密着させる。
【００６９】
これに対し、図８に示す係止部材５ａは、溝部１９を有していない。そのため、本体部４に包装体３を装着してから、胴体部６の開口１６に係止部材５ａの脚部１２ａを挿入することができる。なお、胴体部６の開口１６は、係止部材５ａの脚部１２ａが挿入できる大きさであればよい。このような係止部材５ａを用いる場合、フィルム本体３Ｂの第１の領域Ｘは、開口１６上に配置される領域を含み得る。このとき、突出部１３は、フィルム本体３Ｂの厚さと同じかフィルム本体３Ｂの厚さよりも大きい間隙を介して開口１６に対向する。
【００７０】
図９は、係止部材５ａを本体部４から引き出すときの動作を説明するための図である。係止部材５ａを有する出力測定装置用アダプタセットも、図６を参照して説明した使用例と同様に使用することができる。例えばキャリブレーションの終了後に、第１の開裂案内線１４に沿って包装体３を分断することにより、第１の領域Ｘと第２の領域Ｙとを分離する。ここでは、第１の領域Ｘは、突出部１３と重なる領域を含んでいるので、第１の開裂案内線１４に沿って包装体３を切り取り、第１の領域Ｘであった部分を持ち上げることによって係止部材５ａを持ち上げることができる。これにより、胴体部６から係止部材５ａを容易に分離できる。
【００７１】
なお、前述した種々の態様は、矛盾が生じない限り互いに組み合わせることが可能である。包装体３に包装される物体は出力測定装置用アダプタ１に限定されない。本体部に対して着脱可能な態様で、本体部に形成された開口に挿入される挿入部材であって、その少なくとも一部分が本体部の外表面と対向するように本体部から突出する挿入部材を有する物体であればよい。被包装体は、使い捨てのピン等が挿入部材として本体部に挿入された医療用装置又は医療用器具であってもよい。
【産業上の利用可能性】
【００７２】
本開示の包装体は、光ファイバーから放出される光の強度の測定に用いられる出力測定装置に対して光ファイバーを一時的に保持する出力測定装置用アダプタ等を包装する態様に利用することができる。光ファイバーは、出力測定装置用アダプタに固定されることよって出力測定装置に光学的に結合され得る。
【符号の説明】
【００７３】
１    出力測定装置用アダプタ
２    光ファイバー
３    包装体
４    本体部
５    係止部材（挿入部材）
６    胴体部
７    接続部
８    先端部
９    光ファイバー導入部
１０  嵌合用部材
１１  凹部
１２  脚部
１３  突出部
１４  第１の開裂案内線
１５  第２の開裂案内線
１６  開口
【図１】
0006410301.tif 000002
【図２】
0006410301.tif 000003
【図３】
0006410301.tif 000004
【図４】
0006410301.tif 000005
【図５】
0006410301.tif 000006
【図６】
0006410301.tif 000007
【図７】
0006410301.tif 000008
【図８】
0006410301.tif 000009
【図９】
0006410301.tif 000010